(57)【要約】【課題】  物品を載置することができ、ベッド周りの任意の位置に簡単に設置ができ、且つ載置する物品や外力などで設置が簡単に外れないベッド用機能スタンドを提供する。【解決手段】  本発明のベッド用機能スタンド１１は、枠体２１を有し、枠体２１から内側に向かって突出するように枠体２１に固定され且つ床板３を保持する受桟２３を有することがあるベッドに取り付けて用い、枠体２１及び／又は受桟２３の下側２３１に当接する下当接部４１と、枠体２１及び／又は受桟２３の上側２３２に当接する上当接部４２とを備え、下当接部４１と上当接部４２とで枠体２１及び／又は受桟２３をベッド２の内側から挟み込む設置部４と、設置部４よりベッド２の外方向に延設された載置部５１及び載置部５１から上方向に延設された立ち上がり部５２を備える物置部５と、を有することである。【選択図】  図３
2014036785.tif 000002
【特許請求の範囲】
【請求項１】
枠体を有し、前記枠体から内側に向かって突出するように前記枠体に固定され且つ床板を保持する受桟を有することがあるベッドに取り付けて用いるベッド用機能スタンドであって、
前記枠体及び／又は前記受桟の下側に当接する下当接部と、前記枠体及び／又は前記受桟の上側に当接する上当接部とを備え、前記下当接部と前記上当接部とで前記枠体及び／又は前記受桟を前記ベッドの内側から挟み込む設置部と、
前記設置部より前記ベッドの外方向に延設された載置部及び前記載置部から上方向に延設された立ち上がり部を備える物置部と、
を有することを特徴とするベッド用機能スタンド。
【請求項２】
前記床板は複数の横桟及び複数の縦桟を格子状に組み合わせたスノコであり、
前記設置部は、前記横桟又は前記縦桟の端部に係合する床板係合部を有する請求項１に記載ベッド用機能スタンド。
【請求項３】
前記床板は複数の横桟及び複数の縦桟を格子状に組み合わせたスノコであり、
前記設置部の幅は、前記横桟又は前記縦桟の隣接する間隔にほぼ一致する請求項１に記載のベッド用機能スタンド。
【請求項４】
前記設置部は、前記下当接部から前記上当接部にかけて前記枠体及び／又は前記受桟の外形に沿った形状であり、
前記物置部は前記載置部と前記立ち上がり部とで下方に折れ曲がっている請求項１〜３の何れか一項に記載のベッド用機能スタンド。
【請求項５】
前記物置部は、前記立ち上がり部の一部を切り欠き、前記立ち上がり部とは異なる方向に曲げられ、容器を保持できる容器保持部を有する請求項１〜４の何れか一項に記載のベッド用機能スタンド。
【発明の詳細な説明】
【技術分野】
【０００１】
本発明は、ベッド用機能スタンドに関し、ベッド周りに物品を載置するベッド用機能スタンドに関する。
【背景技術】
【０００２】
ベッドに寝ている状態や上半身だけを起こしている状態で、本を読んだり、テレビを見たり、パソコンを操作したり、と人はベッドの上で様々な作業をしようとします。そのため、ベッドに固定したり、移動可能なテーブルが市販されています。しかし、テーブルがベッドの上に固定されている場合、就寝する際は邪魔になります。移動可能なテーブルの場合は、邪魔にならない位置まで移動できますが、あまり大きな装置であればベッド周辺にテーブルを移動させるスペースの確保が必要になります。そこで、ベッドに取り付けられても邪魔になりにくいテーブルが開発されています。
【０００３】
特許文献１には、電気スタンドとテーブルとがベッドの枕元に設置でき、ベッドの上からサイドへテーブルを動かせる装置が開示されています。特許文献２には、ベッドの上からサイドにテーブル（天板）を動かせ、載せられる荷重によって設置状態が損なわれにくいテーブルが開示されています。特許文献３には、ベッドの外側にテーブル（テーブル板）が固定するように設置され、テーブルの高さを調節できる装置が開示されています。
【０００４】
特許文献１の装置は、ベッドに設置した状態でテーブルを邪魔にならないように移動できる。そして、ベッドへの設置はベースを敷布団やマットレスの下部に挿入するだけであるため、設置場所を移動しやすいが設置状態が外れやすい。特許文献２の装置は、ベッドに設置した状態でテーブルを邪魔にならないように移動できるが、支持部材が取り付けられた枠体に固定されるため、簡単に設置できず設置位置も容易に移動できない。しかし、設置は支持部材を枠体に固定し、支持部材にテーブルを保持する脚部材を固定するため、ある程度の荷重によって設置状態が損なわれない。特許文献３の装置は、テーブルに取り付けられたコの字状の係合部材がベッドのフレームに上から係合し、テーブルの裏面からの負荷で簡単にベッドから着脱できるため、邪魔になる場合は簡単に外すことができる。そのため、ベッドサイドの好きな位置に設置することができるが、テーブルに加えられる外力やベッド外側方向のテーブル端部に物品を載置した場合は、設置が容易に外れる。
【先行技術文献】
【特許文献】
【０００５】
【特許文献１】特開２００１−３２５８０６号公報
【特許文献２】特開２００３−３８２６１号公報
【特許文献３】特開２００６−２６３８３号公報
【発明の概要】
【発明が解決しようとする課題】
【０００６】
本発明は、上記状況に鑑みてなされたもので、物品を載置することができ、ベッド周りの任意の位置に簡単に設置ができ、且つ載置する物品や外力などで設置が簡単に外れないベッド用機能スタンドを提供することを解決すべき課題とする。
【課題を解決するための手段】
【０００７】
上記課題を解決するための（１）の発明の構成上の特徴は、枠体を有し、前記枠体から内側に向かって突出するように前記枠体に固定され且つ床板を保持する受桟を有することがあるベッドに取り付けて用いるベッド用機能スタンドであって、
前記枠体及び／又は前記受桟の下側に当接する下当接部と、前記枠体及び／又は前記受桟の上側に当接する上当接部とを備え、前記下当接部と前記上当接部とで前記枠体及び／又は前記受桟を前記ベッドの内側から挟み込む設置部と、
前記設置部より前記ベッドの外方向に延設された載置部及び前記載置部から上方向に延設された立ち上がり部を備える物置部と、
を有することである。
【０００８】
上記（１）の発明は以下に記す（２）〜（５）の構成のうちの１つ以上を任意に加えて採用できる。
【０００９】
（２）前記床板が複数の横桟及び複数の縦桟を格子状に組み合わせたスノコであり、
前記設置部が、前記横桟又は前記縦桟の端部に係合する床板係合部を有することである。
【００１０】
（３）前記床板が複数の横桟及び複数の縦桟を格子状に組み合わせたスノコであり、
前記設置部の幅が、前記横桟又は前記縦桟の隣接する間隔にほぼ一致することである。
【００１１】
（４）前記設置部が、前記下当接部から前記上当接部にかけて前記枠体及び／又は前記受桟の外形に沿った形状であり、
前記物置部が前記載置部と前記立ち上がり部とで下方に折れ曲がっていることである。
【００１２】
（５）前記物置部が、前記立ち上がり部の一部を切り欠き、前記立ち上がり部とは異なる方向に曲げられ、容器を保持できる容器保持部を有することである。
【発明の効果】
【００１３】
（１）の発明において、設置部が下当接部と上当接部とでベッドの枠体及び／又は受桟をベッドの内側から挟みこみ、物置部がベッドの外方向に設置部から延設されている。物置部は載置部と立ち上がり部とを備えており、立ち上がり部が載置部から上方向に延設されているため、物品を載置部に置くだけでなく、載置部に置いた物品がそれ自体で自立できない場合でも立ち上がり部で支えることができる。ベッドへの設置は設置部でベッドの内側から枠体及び／又は受桟を挟み込むため、簡単に設置できる。設置後は、載置部に加わった負荷を挟み込んだ枠体及び／又は受桟で受けることができるため、載置部への物品の載置による上下方向の負荷や外力による略水平方向の負荷によって簡単に外れない。
【００１４】
（２）の発明において、床板係合部がスノコの横桟又は縦桟に係合するため、本発明のベッド用機能スタンドは設置位置からズレにくい。
【００１５】
（３）の発明において、設置部の下当接部は受桟及び／又は枠体の下側に当接するため、受桟が保持するスノコよりも下側に位置し、横桟及び縦桟よりも下側である。つまり、設置部は横桟又は縦桟の間を上方向に通過して上当接部に至る構成である。そのため、設置部の幅が横桟又は縦桟の間隔にほぼ一致することで、設置部は幅方向に外力が加えられても横桟又は縦桟に接触し、本発明のベッド用機能スタンドは幅方向で設置位置から移動しない。
【００１６】
（４）の発明において、設置部が枠体及び／又は受桟の外形に沿った形状であるため、載置部に加わる負荷をより枠体及ぶ／又は受桟で支持することができるため、設置が外れにくい。そして、物置部が設置部から下方向に折れ曲がる形状であるため、下方向に折れ曲がった載置部と上方に立ち上がっている立ち上がり部とによって、載置した物品が物置部から落ちにくい。
【００１７】
（５）の発明において、容器保持部が立ち上がり部の一部を切り欠き、容器を保持できるように立ち上がり部とは異なる方向に曲げられるため、本発明のベッド用機能スタンドの用途が広がり、使い勝手が良くなる。
【図面の簡単な説明】
【００１８】
【図１】実施形態１のベッド用機能スタンド１１を取り付けた状態のベッド２の上面図である。
【図２】実施形態１のベッド用機能スタンド１１を取り付けた状態のベッド２の横側面図である。
【図３】実施形態１のベッド用機能スタンド１１をベッド２のサイドフレーム２１３に取り付けた状態の断面図である。
【図４】実施形態１のベッド用機能スタンド１１の上面図である。
【図５】実施形態１のベッド用機能スタンド１１の正面図である。
【図６】実施形態２のベッド用機能スタンド１２をベッド２のサイドフレーム２１３に取り付けた状態の断面図である。
【図７】実施形態２のベッド用機能スタンド１２の上面図である。
【図８】実施形態３のベッド用機能スタンド１１をベッド６のサイドフレーム６１に取り付けた状態の断面図である。
【図９】実施形態４のベッド用機能スタンド１３をベッド７のサイドフレーム７１に取り付けた状態の断面図である。
【図１０】実施形態５のベッド用機能スタンド１４をベッド２のサイドフレーム２１３に取り付けた状態の断面図である。
【図１１】実施形態６のベッド用機能スタンド１５をベッド２のサイドフレーム２１３に取り付けた状態の断面図である。
【図１２】実施形態７のベッド用機能スタンド１６をベッド２のサイドフレーム２１３に取り付けた状態の断面図である。
【図１３】実施形態８のベッド用機能スタンド１７をベッド２のサイドフレーム２１３に取り付けた状態の断面図である。
【発明を実施するための形態】
【００１９】
本発明の代表的な実施形態を図１〜図１３を参照して説明する。
【００２０】
（実施形態１）
本実施形態に係るベッド用機能スタンド（以下、「機能スタンド」と略称する。）１１は、図１〜３に示されるようなベッド２に取り付けられる。ベッド２は、枠体２１とレッグ２２と受桟２３とボトムボード（床板）３とを有する。枠体２１は、ヘッドフレーム２１１とフットフレーム２１２とサイドフレーム２１３とを有し、ベッド２の外形（枠）を構成する。なお、ヘッドフレーム２１１とフットフレーム２１２とを結ぶ方向をベッド長手方向とし、両方のサイドフレーム２１３を結ぶ方向がベッド横方向とする。
【００２１】
受桟２３は、サイドフレーム２１３から内側に向かって突出するようにサイドフレーム２１３に一体的に形成されている。枠体２１及び受桟２３は金属製の中空構造である。レッグ２２は枠体２１又は受桟２３の下方に４つ取り付けられており、枠体２１はレッグ２２を介して部屋に設置されている。ボトムボード３は、複数の横桟３１及び複数の縦桟３２を格子状に組み合わせたスノコであり、受桟２３の上方に配置され、受桟２３によって保持される。ボトムボード３は、横桟３１がベッド横方向に平行であり、縦桟３２がベッド長手方向に平行であり、横桟３１の上に縦桟３２が位置するように固定されている。ボトムボード３は、枠体２１や受桟２３とは別部材であり、受桟２３の上に載せることでセットされ、特に固定されていない。なお、ベッド２には、図示されていない敷布団又はベッドマットなどがボトムボード３の上に置くことができる。
【００２２】
本実施形態１の機能スタンド１１は、図３〜５に示されるように、設置部４と、物置部５とを有する。
【００２３】
設置部４は下当接部４１と上当接部４２と第１間部４４と第２間部４５と接続部４６とを備える。下当接部４１は受桟２３の下面２３１に当接し、上当接部４２は受桟２３の上面２３２に当接する。第１間部４４は下当接部４１と上当接部４２との間に位置し、設置部４は下当接部４１と上当接部４２とで受桟２３を挟み込んでいる。第１間部４４は、受桟２３よりもベッド２の内側を通り、上当接部４２からサイドフレーム２１３のベッド２の内側を第２間部４５が上方へ延設されている。接続部４６は第２間部４５から水平方向に曲がって、サイドフレーム２１３の上方からベッド２の外側に延設されている。設置部４の幅Ｈは、ボトムボード３の横桟３１の隣接する間隔（ベッド長手方向の間隔）ほぼ一致し、若干狭い。設置部４には、更に、幅方向で上当接部４２の中央部分に、幅方向の一部を切り欠いた床板係合部４３が形成されている。床板係合部４３の切り欠かれた幅は、ボトムボード３の横桟３１のベッド長手方向の長さにほぼ一致し、若干広い。
【００２４】
物置部５は、設置部４よりもベッド２の外側に位置し、載置部５１と立ち上がり部５２とを備える。載置部５１は、サイドフレーム２１３の上方に位置する設置部４の接続部４６から下方向へと延設され、折れ曲がって水平方向に対して略平行な形状を有する。立ち上がり部５２は、載置部５１から上方に向かって延設されている。立ち上がり部５２は上下方向に対して傾斜しており、物置部５の全体形状は幅方向の垂直断面でテーパ状である。
【００２５】
本実施形態１の機能スタンド１１は、まずボトムボード３が受桟２３にセットされていない状態で、ベッド２に設置する。設置部４の下当接部４１を受桟２３の下面２３１に、上当接部４２を受桟２３の上面２３２にそれぞれ当接させ、ベッド２の内側から受桟２３を挟み込む。そして、ボトムボード３を受桟２３に載せる。機能スタンド１１は、設置部４をボトムボード３の横桟３１と係合させることができる。例えば、床板係合部４３と横桟３１の端部とを幅方向（ベッド長手方向）で係合する、あるいは設置部４を横桟３１の間に係合させる。
【００２６】
本実施形態１の機能スタンド１１は、載置部５１に物品を載置できる上、雑誌などの板状の物品を立ち上がり部５２も利用して立てかけた状態で保持することができる。雑誌などを横にして載置するのではなく、立てかけることでベッド２外側方向に形状が突出するのを抑えることができる。
【００２７】
そして、本実施形態１の機能スタンド１１は、物置部５に物品が載せられることで載置部５１に下方向の負荷が発生し、延設されている設置部４にその負荷がかかる。設置部４は、受桟２３を下当接部４１及び上当接部４２とで挟み込んでいるため、設置部４が受桟２３から外れにくく、負荷を受桟２３で受けることができる。また、載置部５１に上方向の外力が加わったり、立ち上がり部５２にベッド２の外側方向の外力が加わったりした場合でも、設置部４が受桟２３に当接して挟み込んでいるため、設置が外れにくく且つ負荷を受桟２３で支持できる。また、設置部４はサイドフレーム２１３及び受桟２３のベッド２の内側の外形に沿った形状としていることによっても、負荷によって設置が外れにくい。更に、ボトムボード３やベッドマットで設置部４を押さえ込んでいる構成でもあるため、ボトムボード３やマットレスがセットされている状態では、ベッド２の内側方向にも外れにくい。
【００２８】
そして、本実施形態１の機能スタンド１１は、設置部４がボトムボード３の横桟３１と係合している場合、幅方向の外力を受けても設置部４あるいは設置部４の床板係合部４３が横桟３１に接触し、幅方向に移動しない。
【００２９】
よって、本実施形態１の機能スタンド１１は、ベッド周りの任意の位置に簡単に設置ができ、ベッド近辺に物品を載置することができ、設置した状態で物品の荷重や外力によって設置が外れにくい。結果、載置してある物品が機能スタンド１１から落下しにくい。
【００３０】
（実施形態２）
本実施形態２の機能スタンド１２は、図６及び図７に示されるように、基本的な構成は実施形態１の機能スタンド１１と同じ構成及び作用効果を有する。以下では、異なる構成を中心に説明していく。
【００３１】
本実施形態２の機能スタンド１２の物置部５は、立ち上がり部５２の一部をコの字状に切り込みを入れ、コの字の内側を立ち上がり部５２とは異なる形状に曲げた容器保持部５３を有する。容器保持部５３は、載置部５１からまっすぐ、水平方向に平行で端部が上方に曲がった形状をしている。立ち上がり部５２は、幅方向の中央部分に、容器保持部５３となった部分の切り欠きが位置する。容器保持部５３は、載置部５１を含めて水平面に容器を置くことができる。例えば、ペットボトルなどの容器が置ける。容器保持部５３に置かれた容器は、幅方向では立ち上がり部５２に接触し、ベッド２の内側方向には載置部５１の設置部４側の面に接触し、ベッド２の外側方向には容器保持部５３の上方に曲がった端部に接触し、容器保持部５３から落下しにくい。
【００３２】
本実施形態２の機能スタンド１２によれば、ペットボトルなどの容器を置くことができ、置いた容器も落ちにくい。また、容器保持部５３は、容器を載置していない場合、容器保持部５３が形成されていない場合と同じように、立ち上がり部５２に物品を立てかけるようにして物品を置くのに支障ない。そして、容器保持部５３に容器を置いた状態で、幅方向で容器保持部５３の両側に別のものを多くこともできる。
【００３３】
（実施形態３）
本実施形態３の機能スタンド１１は、図８に示されるように、実施形態１の機能スタンド１１と同じ構成及び作用効果を有する。本実施形態３の機能スタンド１１は、設置されるベッド６（図示一部）が、実施形態１の機能スタンド１１を設置するベッド２と構成が異なる。以下では、異なる部分を中心に説明する。
【００３４】
ベッド６は、ヘッドフレーム（図示略）、フットフレーム（図示略）及びサイドフレーム６１からなる枠体（図示略）と受桟６２とボトムボード３とを有する。ボトムボード３は、ベッド２の受桟２３に載せられたボトムボード３と同じ構成である。受桟６２は、サイドフレーム６１から内側に向かって突出するようにサイドフレーム６１に一体的に形成されている。枠体は、受桟６２よりも下方まで延設されており、枠体がレッグの機能を有する。また、枠体２１及び受桟６２は金属製でも木製でも良く、中空構造ではない。
【００３５】
本実施形態３の機能スタンド１１は、設置部４の下当接部４１が受桟６２の下面６２１に当接し、設置部４の上当接部４２が受桟６２の上面６２２に当接する。そして、受桟６２は、下当接部４１と上当接部４２とで挟み込まれる。下当接部４１と上当接部４２との間の第１間部４４がベッド６の内側に位置し、上当接部４２から上方に延設された第２間部４５がサイドフレーム６１のベッド６の内側を通って、接続部４６がサイドフレーム６１の上方からベッド６の外側に延設されている。設置部４は、受桟６２の下方からサイドフレーム６１の上方内側の外形に沿った形状である。
【００３６】
本実施形態３の機能スタンド１１は、まずボトムボード３が受桟６２にセットされていない状態で、ベッド６に設置する。設置部４の下当接部４１を受桟６２の下面６２１に、上当接部４２を受桟６２の上面６２２にそれぞれ当接させ、ベッド６の内側から受桟６２を挟み込む。そして、ボトムボード３を受桟６２に載せてセットする。
【００３７】
（実施形態４）
本実施形態４の機能スタンド１３は、図９に示されている。まず、本実施形態４の機能スタンド１３が設置されるベッド７について説明する。
【００３８】
ベッド７（一部図示）は、ヘッドフレーム（図示略）、フットフレーム（図示略）及びサイドフレーム７１からなる枠体（図示略）とレッグ（図示略）とボトムボード３とを有する。ベッド７は、実施形態１の機能スタンド１１が設置されるベッド２とほぼ同じ構成で、受桟を有さない。そのため、ボトムボード３は各フレームの上方に載置される。ボトムボード３は、実施形態１の機能スタンド１１が設置されるベッド２の受桟２３に載せられたボトムボード３と同じ構成である
本実施形態４の機能スタンド１３は、設置部８と物置部５とを有する。物置部５は、実施形態１の機能スタンド１１と同じ構成であるため説明を省略する。設置部８は、下当接部８１と上当接部８２と第１間部８４とを備える。下当接部８１はサイドフレーム７１の上部７１２に当接し、上当接部８２はサイドフレーム７１の上部７１２に当接する。第１間部８４は下当接部８１と上当接部８２との間に位置し、設置部４は下当接部８１と上当接部８２とでサイドフレーム７１を挟み込んでいる。第１間部８４は、サイドフレーム７１よりもベッド７の内側を通り、上当接部８２からベッド７の外側に延設されている。設置部８の幅は、ボトムボード３の横桟３１の隣接する間隔（ベッド長手方向の間隔）ほぼ一致し、若干狭い。更に、幅方向で上当接部８２の中央部分に、幅方向の一部を切り欠いた床板係合部８３が形成されている。床板係合部８３の切り欠かれた幅は、ボトムボード３の横桟３１のベッド長手方向の長さにほぼ一致し、若干広い。
【００３９】
本実施形態４の機能スタンド１３は、ベッド７にボトムボード３がセットされていない状態で設置し、その後、ボトムボード３で設置部８を押さえるようにボトムボード３を枠体の上に置く。
【００４０】
本実施形態４の機能スタンド１３は、物置部５に物品が置かれたり、立ち上がり部５２にベッド７の外側方向や内側方向によって外力が加えられたりした場合、その負荷をサイドフレーム７１が受ける。設置部８がサイドフレーム７１の外形に沿った形状であり、下部８１と上部８２とでサイドフレーム７１を挟み込んでいるため、サイドフレーム７１は物置部５が受けた負荷を設置部８を介して受ける。よって、機能スタンド１３は、ベッド７の外側方向及び内側方向に対する外力に対して、ベッド７から外れにくい。更に、上当接部８２の上にボトムボード３をセットすることで、よりベッド７から外れにくくなる。
【００４１】
また、機能ベッド１２の設置部８を横桟３１の間に設置することで、幅方向に移動するのを規制することができる。
【００４２】
（実施形態５）
本実施形態５の機能スタンド１４は、図１０に示されている。まず、本実施形態５の機能スタンド１４が設置されるベッド２は、実施形態１の機能スタンド１１が設置されるベッド２と同じ構成である。
【００４３】
本実施形態５の機能スタンド１４は、設置部９と物置部５とを有する。物置部５は、実施形態１の機能スタンド１１と同じ構成であるため説明を省略する。設置部９は、下当接部９１と上当接部９２と第１間部９４と第２間部９５と第３間部９６と接続部９７とを備える。下当接部９１はサイドフレーム２１３の下部２１３ａに当接し、上当接部９２は受桟２３の上面２３２に当接する。設置部９は、下当接部９１から受桟２３の下方に位置する第１間部９４、受桟２３よりベッド２の内側に位置する第２間部９５と、受桟２３のベッド２の内側外形に沿って上当接部９２へと延設されている。そして、第３間部９６が上当接部９２からサイドフレーム２１３のベッド２の内側を沿って上方に延設され、接続部９７が第３間部９６から水平方向に曲がって、サイドフレーム２１３の上方からベッド２の外側に延設されている。設置部９は、ほぼサイドフレーム２１３及び受桟２３のベッド２の内側の外形に沿った形状である。設置部９は、更に、幅方向で上当接部９２の中央部分に幅方向で一部を切り欠いた床板係合部９３が形成されている。床板係合部９３の切り欠かれた幅は、ボトムボード３の横桟３１のベッド長手方向の長さにほぼ一致し、若干広い。
【００４４】
本実施形態５の機能スタンド１４は、まずボトムボード３が受桟２３にセットされていない状態で、ベッド２に設置する。設置部９の下当接部９１をサイドフレーム２１３の下部２１３ａに、上当接部９２を受桟２３の上面２３２にそれぞれ当接させ、ベッド２の内側から受桟２３及びサイドフレーム２１４を挟み込む。そして、ボトムボード３を受桟２３に載せる。機能スタンド１４は、設置部９をボトムボード３の横桟３１と係合させることができる。例えば、床板係合部９３と横桟３１の端部とを幅方向（ベッド長手方向）で係合する、あるいは設置部４を横桟３１の間に係合させる。
【００４５】
本実施形態５の機能スタンド１４の作用効果は、実施形態１の機能スタンド１１と同じ作用効果を有する。
【００４６】
（実施形態６）
本実施形態６の機能スタンド１５は、図１１に示されるように、基本的な構成は実施形態１の機能スタンド１１と同じ構成及び作用効果を有する。以下では、異なる構成を中心に説明していく。
【００４７】
本実施形態６の機能スタンド１５は、物置部５の載置部５４が設置部４から立ち上がり部５２まで折れ曲がらず、下方に傾斜した形状である。
【００４８】
（実施形態７）
本実施形態７の機能スタンド１６は、図１２に示されるように、基本的な構成は実施形態１の機能スタンド１１と同じ構成及び作用効果を有する。以下では、異なる構成を中心に説明していく。
【００４９】
本実施形態７の機能スタンド１６は、物置部５の載置部５５が設置部４から立ち上がり部５２までほぼ水平方向に延設された形状である。載置する物品を立ち上がり部５２に立てかけるような場合、機能スタンド１６の材料としてすべりにくい材質の素材を使用したり、載置部５５の上面にゴムなどを貼り付けたりすることが考えられる。
【００５０】
（実施形態８）
本実施形態８の機能スタンド１７は、図１３に示されるように、基本的な構成は実施形態１の機能スタンド１１と同じ構成及び作用効果を有する。以下では、異なる構成を中心に説明していく。
【００５１】
本実施形態８の機能スタンド１７は、物置部５の載置部５６が設置部４から立ち上がり部５２の途中に上方に突出した突起５６１を有しており、突起部５６１から立ち上がり部５２までほぼ水平方向に平行な形状である。
【００５２】
（その他の実施形態）
以上、本発明の好適な実施形態について説明したが、本発明は上記実施形態に限定されるものではない。例えば、機能スタンド１１〜１７は、ベッドのサイドフレームに取り付けることに限定されず、フットフレームにも取り付けることができる。そして、フットフレームに取り付け、幅方向の移動を規制したい場合は、床板係合部の幅を縦桟３２の幅、設置部の幅を縦桟３２の間隔で形成することが望ましい。
【符号の説明】
【００５３】
１１〜１７：機能スタンド、
２：ベッド、  ２１：枠体、  ２１１：ヘッドフレーム、  ２１２：フットフレーム、
２１３：サイドフレーム、  ２１３ａ：上面、  ２２：レッグ、  ２３：受桟、
２３１：下面、  ２３２：上面、
３：ボトムボード（床板）、  ３１：横桟、  ３２：縦桟、
４：設置部、  ４１：下当接部、  ４２：上当接部、４３：床板係合部、
４６：接続部、
５：物置部、  ５１：載置部、  ５２：立ち上がり部、  ５３：容器保持部、
５４：載置部、  ５５：載置部、  ５６：載置部、  ５６１：突起部、
６:ベッド、  ６１：サイドフレーム、  ６２：受桟、  ６２１：下面、
６２２：上面、
７：ベッド、  ７１：サイドフレーム、  ７１１：下部、  ７１２：上部、
８：設置部、  ８１：下当接部、  ８２：上当接部、  ８３：床板係合部、
８４：第１間部、
９：設置部、  ９１：下当接部、  ９２：上当接部、  ９３：床板係合部、
９４：第１間部、  ９５：第２間部、  ９６：第３間部、  ９７：接続部。
【図１】
2014036785.tif 000003
【図２】
2014036785.tif 000004
【図３】
2014036785.tif 000005
【図４】
2014036785.tif 000006
【図５】
2014036785.tif 000007
【図６】
2014036785.tif 000008
【図７】
2014036785.tif 000009
【図８】
2014036785.tif 000010
【図９】
2014036785.tif 000011
【図１０】
2014036785.tif 000012
【図１１】
2014036785.tif 000013
【図１２】
2014036785.tif 000014
【図１３】
2014036785.tif 000015